(57)【要約】【課題】カラーフィルタにおいて反射型部分と透過型部分との段差を低減し、カラーフィルタ製造のプロセス数を低減するとともに、カラーフィルタの色度向上を可能とする。【解決手段】色度調整されたカラーフィルタ層または色度調整されかつ光学的性質の異なるカラーフィルタ層を複数層に重ね合わせたことを特徴とするカラーフィルタ２０であって、カラーフィルタ２０は、第１カラーフィルタ層２１と、前記第１カラーフィルタ層２１より大きな面積を持つもので前記第１カラーフィルタ層２１を覆う状態に配置した第２カラーフィルタ層２２とからなるものである。【選択図】図１
2005189402.tif 000002
【特許請求の範囲】
【請求項１】
色度調整された光学的性質の異なるカラーフィルタ層を複数層に重ね合わせた
ことを特徴とするカラーフィルタ。
【請求項２】
前記色度調整された光学的性質の異なるカラーフィルタ層を複数層に重ね合わせてなるカラーフィルタは、
第１カラーフィルタ層と、
前記第１カラーフィルタ層より大きな面積を持つもので前記第１カラーフィルタ層を覆う状態に配置した第２カラーフィルタ層とからなる
ことを特徴とする請求項１記載のカラーフィルタ。
【請求項３】
前記カラーフィルタを構成するカラーフィルタ層の少なくとも一部は透明基板もしくは半透明基板に接している
ことを特徴とする請求項１記載のカラーフィルタ。
【請求項４】
前記第１カラーフィルタ層は透過型カラーフィルタ層からなり、
前記第２カラーフィルタ層は反射型カラーフィルタ層または吸収型カラーフィルタ層からなる
ことを特徴とする請求項２記載のカラーフィルタ。
【請求項５】
前記第１カラーフィルタ層は光の三原色の波長成分のうちの１色の波長成分を透過する性質を持つもので平面に配列された透過型カラーフィルタ層であり、
前記第２カラーフィルタ層は前記光の三原色の波長成分のうちの１色の波長成分を反射する性質を持つもので平面に配列された反射型カラーフィルタ層または前記光の三原色の波長成分のうちの１色の波長成分を吸収する性質を持つもので平面に配列された吸収型カラーフィルタ層である
ことを特徴とする請求項２記載のカラーフィルタ。
【請求項６】
色度調整された２種類のカラーフィルタ層を重ね合わせた
ことを特徴とするカラーフィルタ。
【請求項７】
前記色度調整された２種類のカラーフィルタ層を重ね合わせてなるカラーフィルタは、
第１カラーフィルタ層と、
前記第１カラーフィルタ層より大きな面積を持つもので前記第１カラーフィルタ層を覆う状態に配置した第２カラーフィルタ層とからなる
ことを特徴とする請求項６記載のカラーフィルタ。
【請求項８】
前記カラーフィルタを構成するカラーフィルタ層の少なくとも一部は透明基板もしくは半透明基板に接している
ことを特徴とする請求項６記載のカラーフィルタ。
【請求項９】
前記第１カラーフィルタ層は透過型カラーフィルタ層からなり、
前記第２カラーフィルタ層は反射型カラーフィルタ層または吸収型カラーフィルタ層からなる
ことを特徴とする請求項７記載のカラーフィルタ。
【請求項１０】
前記第１カラーフィルタ層は光の三原色の波長成分のうちの１色の波長成分を透過する性質を持つもので平面に配列された透過型カラーフィルタ層であり、
前記第２カラーフィルタ層は前記光の三原色の波長成分のうちの１色の波長成分を反射する性質を持つもので平面に配列された反射型カラーフィルタ層または前記光の三原色の波長成分のうちの１色の波長成分を吸収する性質を持つもので平面に配列された吸収型カラーフィルタ層である
ことを特徴とする請求項７記載のカラーフィルタ。
【請求項１１】
色度調整された光学的性質の異なるカラーフィルタ層を複数層に重ね合わせて形成する
ことを特徴とするカラーフィルタの製造方法。
【請求項１２】
前記色度調整された光学的性質の異なるカラーフィルタ層を複数層に重ね合わせて形成するカラーフィルタは、
第１カラーフィルタ層を形成する工程と、
前記第１カラーフィルタ層より大きな面積を持つもので前記第１カラーフィルタ層を覆う状態に配置する第２カラーフィルタ層を形成する工程と
を備えたことを特徴とする請求項１１記載のカラーフィルタの製造方法。
【請求項１３】
色度調整された２種類のカラーフィルタ層を重ね合わせて形成する
ことを特徴とするカラーフィルタの製造方法。
【請求項１４】
前記色度調整された２種類のカラーフィルタ層を重ね合わせて形成するカラーフィルタは、
第１カラーフィルタ層を形成する工程と、
前記第１カラーフィルタ層より大きな面積を持つもので前記第１カラーフィルタ層を覆う状態に配置する第２のカラーフィルタ層を形成する工程と
を備えたことを特徴とする請求項１３記載のカラーフィルタの製造方法。
【請求項１５】
色度調整された光学的性質の異なるカラーフィルタ層を複数層に重ね合わせてなるカラーフィルタを備えた
ことを特徴とする表示装置。
【請求項１６】
前記カラーフィルタは、
第１カラーフィルタ層と、
前記第１カラーフィルタ層より大きな面積を持つもので前記第１カラーフィルタ層を覆う状態に配置した第２のカラーフィルタ層とからなる
ことを特徴とする請求項１５記載の表示装置。
【請求項１７】
色度調整された２層のカラーフィルタ層を重ね合わせてなるカラーフィルタを備えた
ことを特徴とする表示装置。
【請求項１８】
前記カラーフィルタは、
第１カラーフィルタ層と、
前記第１カラーフィルタ層より大きな面積を持つもので前記第１カラーフィルタ層を覆う状態に配置した第２カラーフィルタ層とからなる
ことを特徴とする請求項１７記載の表示装置。
【発明の詳細な説明】
【技術分野】
【０００１】
本発明は、製造プロセスが簡単で容易であり、かつ歩留りが良く高密度化が容易なカラーフィルタ、カラーフィルタの製造方法および表示装置に関するものである。
【背景技術】
【０００２】
従来、併用型（例えば透過型と反射型）のカラーフィルタを実際に製作する場合を、図１０によって説明する。
【０００３】
図１０に示すように、光の三原色であるＲ（赤色）、Ｇ（緑色）、Ｂ（青色）の各色の透過型カラーフィルタ１１１Ｒ、１１１Ｇ、１１１Ｂをガラス基板など透明基板１０１上に、例えば島状に形成する。次に、各透過型カラーフィルタ１１１Ｒ、１１１Ｇ、１１１Ｂ上に、Ｒ（赤色）、Ｇ（緑色）、Ｂ（青色）の各色の反射型カラーフィルタ１２１Ｒ、１２１Ｇ、１２１Ｂを積層し、各透過型カラーフィルタ１１１Ｒ、１１１Ｇ、１１１Ｂ上の上記反射型カラーフィルタ１２１Ｒ、１２１Ｇ、１２１Ｂに開口部１２３Ｒ、１２３Ｇ、１２３Ｂを形成する。なお、上記反射型カラーフィルタ１２１Ｒ、１２１Ｇ、１２１Ｂの代りに吸収型カラーフィルタを用いることもできる。
【０００４】
もしくは、先に、基板１０１上にＲ（赤色）、Ｇ（緑色）、Ｂ（青色）の各色の反射型カラーフィルタ１２１Ｒ、１２１Ｇ、１２１Ｂを形成し、各反射型カラーフィルタ１２１Ｒ、１２１Ｇ、１２１Ｂの所定の領域に開口部１２３Ｒ、１２３Ｇ、１２３Ｂを形成する。各開口部１２３Ｒ、１２３Ｇ、１２３Ｂと一致するようにＲ（赤色）、Ｇ（緑色）、Ｂ（青色）の各色の透過型カラーフィルタ１１１Ｒ、１１１Ｇ、１１１Ｂを形成する。その際、透過型カラーフィルタ１１１Ｒ、１１１Ｇ、１１１Ｂの膜厚を制御することにより、透過と反射の色度を調整する（例えば、特許文献１参照。）。
【０００５】
【特許文献１】特開２０００−３０５０８６号公報
【発明の開示】
【発明が解決しようとする課題】
【０００６】
解決しようとする問題点は、開口部を形成した部分に配置するフィルタを正確に重ね合わせる必要があり、また開口するために手間がかかり、プロセス数も多くなる点である。さらに開口部の重ね合わせ部分のエッジ部は平坦ではなくなり、合わせ精度や境界部の段差形状などに注意を払う必要がある点である。加えて、開口部を形成する工程の未処理が見過ごされてしまうようなこともあり、歩留まり向上や高密度化の妨げになっていた点である。
【課題を解決するための手段】
【０００７】
本発明のカラーフィルタは、色度調整された光学的性質の異なるカラーフィルタ層を複数層に重ね合わせたことを最も主要な特徴とする。
【０００８】
本発明のカラーフィルタは、色度調整された２種類のカラーフィルタ層を重ね合わせたことを最も主要な特徴とする。
【０００９】
本発明のカラーフィルタの製造方法は、色度調整された光学的性質の異なるカラーフィルタ層を複数層に重ね合わせて形成することを最も主要な特徴とする。
【００１０】
本発明のカラーフィルタの製造方法は、色度調整された２種類のカラーフィルタ層を重ね合わせて形成することを最も主要な特徴とする。
【００１１】
本発明の表示装置は、色度調整された光学的性質の異なるカラーフィルタ層を複数層に重ね合わせてなるカラーフィルタを備えたことを最も主要な特徴とする。
【００１２】
本発明の表示装置は、色度調整された２層のカラーフィルタ層を重ね合わせてなるカラーフィルタを備えたことを最も主要な特徴とする。
【発明の効果】
【００１３】
本発明のカラーフィルタは、色度調整された光学的性質の異なるカラーフィルタ層を複数層に重ね合わせたため、または色度調整された２種類のカラーフィルタ層を重ね合わせたため、マスク数およびプロセス数を少なくできるので、経済的であるという利点がある。また、パターンの位置合わせが容易になるという利点がある。さらにカラーフィルターの色純度が向上するという利点がある。また、新しい色度調整方法であるため、新たな光学設計手法を確立することができる。
【００１４】
本発明のカラーフィルタの製造方法は、色度調整された光学的性質の異なるカラーフィルタ層を複数層に重ね合わせて形成する、または色度調整された２種類のカラーフィルタ層を重ね合わせて形成するため、マスク数およびプロセス数を少なくできるので、経済的であるという利点がある。また、パターンの位置合わせが容易になるという利点がある。さらにカラーフィルターの色純度を向上させることができるという利点がある。
【００１５】
本発明の表示装置は、色度調整された光学的性質の異なるカラーフィルタ層を複数層に重ね合わせてなるカラーフィルタを備えたことから、または色度調整された２層のカラーフィルタ層を重ね合わせてなるカラーフィルタを備えたことから、カラーフィルターの色純度が向上するので、表示画像の色再現性が向上する。
【発明を実施するための最良の形態】
【００１６】
従来の併用型カラーフィルタ作製時の重ね合わせ精度の問題を解決するとともに、積層エッジ部を平坦化し、工程数を短縮し、色純度を改善するという目的を、色度調整された光学的性質の異なるカラーフィルタ層を複数層に重ね合わせることで、もしくは、色度調整された２層のカラーフィルタ層を重ね合わせることで、工程数を増加させずに容易に実現した。
【実施例１】
【００１７】
本発明のカラーフィルタおよびカラーフィルタの製造方法に係る第１実施例を、図１の概略構成断面図および図２のカラーフィルタの構成を説明する図によって説明する。
【００１８】
図１に示すように、カラーフィルタ２０は、基板１１の主面に、色度調整された第１カラーフィルタ層２１と第２カラーフィルタ層２２と重ね合わせたものであり、上記第２カラーフィルタ層２２は、上記第１カラーフィルタ層２１より大きな面積を持つもので上記第１カラーフィルタ層２１を覆う状態に配置されたものからなる。このような構成のカラーフィルタ２０は、通常、Ｒ（赤色）、Ｇ（緑色）、Ｂ（青色）の３色について、上記基板１１の主面に形成されている。上記基板１１は、例えば透明なガラス基板からなる。もしくは石英基板、プラスチック基板を用いることもできる。また、透明基板の他に半透明基板を用いることもできる。また、上記第１カラーフィルタ層２１と上記第２カラーフィルタ層２２とは、色度調整された光学的性質の同一なものもしくは異なるものを用いることもできる。ここでは、上記第１カラーフィルタ層２１と上記第２カラーフィルタ層２２とは、色度調整された光学的性質の同一なものとして、以下の説明を進める。
【００１９】
上記第１カラーフィルタ層２１は透過型カラーフィルタ層からなり、上記第２カラーフィルタ層２２は反射型カラーフィルタ層からなる。また、上記第２カラーフィルタ層２２は、吸収型カラーフィルタ層であることもできる。すなわち、上記第１カラーフィルタ層２１は、光の三原色〔Ｒ（赤色）、Ｇ（緑色）、Ｂ（青色）〕の波長成分のうちの１色を透過する性質を持つもので平面に配列された透過型カラーフィルタ層である。また、上記第２カラーフィルタ層２２は、上記光の三原色の波長成分のうちの１色を反射する性質を持つもので平面に配列された反射型カラーフィルタ層または上記光の三原色の波長成分のうちの１色を吸収する性質を持つもので平面に配列された吸収型カラーフィルタ層である。
【００２０】
以下、図２によって、詳細に説明する。図２の説明では、シアン（Ｃ）、イエロー（Ｙ）、マゼンダ（Ｍ）の３色レジストを用いて、反射部は減法混色（ＣＹＭ１層構成）とし、透過部は加法混色（ＣＭＹを異色の２層でＲＧＢ構成）としている。
【００２１】
図２は、本第１実施例に係る反射・透過併用型の液晶表示装置（ＬＣＤ）における画素部のカラーフィルタの作製方法を示すものであって、本発明の製造方法では、従来技術では行っていた反射型カラーフィルタ層に開口部を形成することは行わず、透過型カラーフィルタ層である第１カラーフィルタ層２１上に反射型カラーフィルタ層である第２カラーフィルタ層２２を積層させて積層構造のカラーフィルタ２０を形成している。
【００２２】
ここで、従来の製造技術によるカラーフィルタの構成を図３によって説明する。図３に示すように、カラーフィルタ３２０は、基板３１１の主面に、透過型カラーフィルタ層からなる第１カラーフィルタ層３２１を形成した後に、この第１カラーフィルタ層３２１を覆うように反射型カラーフィルタ層からなる第２カラーフィルタ層３２２を成膜する。その後、第１カラーフィルタ層３２１上の第２カラーフィルタ層３２２に開口部３２３を形成し、第１カラーフィルタ層３２１を露出させる。この開口部３２３を形成する工程は、通常のリソグラフィー技術とエッチング技術による。このような構成のカラーフィルタ３２０は、通常、Ｒ（赤色）、Ｇ（緑色）、Ｂ（青色）の３色について、上記基板３１１の主面に形成されている。
【００２３】
よって、本発明のカラーフィルタの製造方法は、従来の製造方法に比べると反射型カラーフィルタ層に透過型カラーフィルタ層を露出させて配置する開口部３２３を形成する工程を行う必要が無いことが分かる。また、従来の技術におけるカラーフィルタの構成の特徴は、本発明のカラーフィルタの構成のような積層構造になっていない点である。また、２種類のカラーフィルタ（反射型カラーフィルタと透過型カラーフィルタ）が接する縁の部分で、反射型カラーフィルタ層が平坦にならず、逆カルデラ状を呈している。これに対して本発明のカラーフィルタでは、面積の異なる２種類のカラーフィルタ（反射型カラーフィルタと透過型カラーフィルタ）が部分的に積層されていて、かつ、反射型カラーフィルタの縁部が従来の技術の構成と比較して平坦化されていることが分かる。この場合、ガラスとカラーフィルタの境界面で、積層されたカラーフィルタの接合面の一部は必然的に平面形状で基板１１の主面と接するように配置される。
【００２４】
本発明のカラーフィルタは、第１カラーフィルタ層２１を透過型カラーフィルタ層とし、第２カラーフィルタ層２２を反射型カラーフィルタ層として、膜厚が異なればよい。
【００２５】
次に、前記図１によって説明した本発明のカラーフィルタと、前記図３によって説明した従来構造のカラーフィルタにおける透過部の色度特性を比較した。その結果を表１に示す。
【００２６】
【表１】
2005189402.tif 000003
【００２７】
表１中の記号Ｒは光の三原色の赤を表し、記号Ｇは光の三原色の緑を表し、記号Ｂは光の三原色の青を表し、Ｓｐｉｎ条件に記載された数値は、カラーフィルタの溶媒をスピンコートした際の回転数（ｒｐｍ．）を表し、実測値のＹは明るさ、またｘ，ｙは「ＣＩＥ １９３１色度図」の色座標をそれぞれ表している。
【００２８】
次に、表１に基づいて、カラーフィルタ（Ｒ，Ｇ，Ｂ）色度三角形を図４に示す。図４から明らかなように、従来構造のカラーフィルタより、本発明のカラーフィルタの方が、Ｒ，Ｇ，Ｂ三角形の面積が大きくなっている。よって、本発明のカラーフィルタは従来構造のカラーフィルタよりも、色度が向上していることが分かる。
【００２９】
次に、色度調整について説明する。色度を決定する主な条件は、カラーレジスト中に含有される顔料の濃度、顔料の種類（スペクトル）、カラーレジストの膜厚である。上記顔料の濃度は、少なくとも顔料を含み、５０％以下とする。上記顔料の種類（スペクトル）としては、ピグメントレッド（Pigment Red 177）、ピグメントグリーン（Pigment Green 36）、ピグメントブルー（Pigment Blue 15:6 etc）がある。また、カラーレジストの膜厚は、０．３μｍ以上３．０μｍであった。
【００３０】
上記カラーレジストは、顔料、分散材、バインダー樹脂、モノマー、光重合開始剤および溶剤からなるのが一般的である。大別すると、レジスト性能を決めるのが、バインダー樹脂、モノマー、光重合開始剤であり、色度性能を決めるのが、顔料、分散材となる。
【００３１】
上記カラーレジストの色度調整は、レジスト性能、例えばパターン直線性、密着性、残渣特性等を維持した上で、実施する必要がある。しかし、顔料濃度が５０％を超えると、顔料以外のレジスト特性を形成する成分であるバインダー樹脂、モノマー、光重合開始剤等を十分に含有することができなくなり、前記カラーレジストの特性が著しく低下し、カラーレジストとして成り立たなくなる。
【００３２】
また、色再現と透過率を決める要素としては、各顔料の分光透過率のピーク位置と等色関数、および使用するバックライト分光スペクトルとのマッチングがある。したがって、所望の色相と光源の発光スペクトルにより、顔料の選定を行う。このとき顔料種類は、単一種だけではなく複数種類を調合することもできる。カラーレジストの膜厚は、粘度と装置性能、およびレジスト特性から決定される。粘度と装置性能から形成限界膜厚が決まり、さらにレジスト特性より実使用膜厚に制限されることになる。最終的にその範囲は、０．３μｍ以上３．０μｍ以下となる。カラーレジストを選定した後は、この膜厚調整、実際には装置条件調整により、膜厚調整を行い、所望の色再現性と透過率に制御することになる。
【実施例２】
【００３３】
次に、本発明のカラーフィルタおよびカラーフィルタの製造方法に係る第２実施例を、図５の概略構成断面図および図６のカラーフィルタの構成を説明する図によって説明する。ここで説明されるカラーフィルタの第１カラーフィルタ層３１と第２カラーフィルタ層３２とは、色度調整された光学的性質の異なるものからなる。
【００３４】
図５に示すように、カラーフィルタ３０は、基板１１の主面に、色度調整された第１カラーフィルタ層３１と第２カラーフィルタ層３２と重ね合わせたものであり、上記第２カラーフィルタ層３２は、上記第１カラーフィルタ層３１より大きな面積を持つもので上記第１カラーフィルタ層３１を覆う状態に配置されたものからなる。このような構成のカラーフィルタ３０は、通常、Ｒ（赤色）、Ｇ（緑色）、Ｂ（青色）の３色について、上記基板１１の主面に形成されている。上記基板１１は、例えば透明なガラス基板からなる。もしくは石英基板、プラスチック基板を用いることもできる。また、透明基板の他に半透明基板を用いることもできる。また、上記第１カラーフィルタ層３１と上記第２カラーフィルタ層３２とは、色度調整された光学的性質の同一なものもしくは異なるものを用いることもできる。ここでは、上記第１カラーフィルタ層３１と上記第２カラーフィルタ層３２とは、色度調整された光学的性質の異なるものとして、以下の説明を進める。
【００３５】
上記第１カラーフィルタ層３１は透過型カラーフィルタ層からなり、上記第２カラーフィルタ層３２は反射型カラーフィルタ層からなる。また、上記第２カラーフィルタ層３２は、吸収型カラーフィルタ層であることもできる。すなわち、上記第１カラーフィルタ層３１は、光の三原色〔Ｒ（赤色）、Ｇ（緑色）、Ｂ（青色）〕の波長成分のうちの１色を透過する性質を持つもので平面に配列された透過型カラーフィルタ層である。また、上記第２カラーフィルタ層３２は、上記光の三原色の波長成分のうちの１色を反射する性質を持つもので平面に配列された反射型カラーフィルタ層または上記光の三原色の波長成分のうちの１色を吸収する性質を持つもので平面に配列された吸収型カラーフィルタ層である。
【００３６】
以下、図６によって、詳細に説明する。図６の説明では、シアン（Ｃ）、イエロー（Ｙ）、マゼンダ（Ｍ）の３色レジストを用いて、反射部は減法混色（ＣＹＭ１層構成）とし、透過部は加法混色（ＣＭＹを異色の２層でＲＧＢ構成）としている。
【００３７】
図６は、本第２実施例に係る反射・透過併用型の液晶表示装置（ＬＣＤ）における画素部のカラーフィルタの作製方法を示すものであって、本発明の製造方法では、従来技術では行っていた反射型カラーフィルタ層に開口部を形成することは行わず、透過型カラーフィルタ層である第１カラーフィルタ層３１上に反射型カラーフィルタ層である第２カラーフィルタ層３２を積層させて積層構造のカラーフィルタ３０を形成している。
【００３８】
よって、本発明のカラーフィルタの製造方法は、前記図３によって説明した従来の製造方法に比べると反射型カラーフィルタ層に透過型カラーフィルタ層を露出させて配置する開口部３２３を形成する工程を行う必要が無いことが分かる。また、従来の技術におけるカラーフィルタの構成の特徴は、本発明のカラーフィルタの構成のような積層構造になっていない点である。また、２種類のカラーフィルタ（反射型カラーフィルタと透過型カラーフィルタ）が接する縁の部分で、反射型カラーフィルタ層が平坦にならず、逆カルデラ状を呈している。これに対して本発明のカラーフィルタでは、面積の異なる２種類のカラーフィルタ（反射型カラーフィルタと透過型カラーフィルタ）が部分的に積層されていて、かつ、反射型カラーフィルタの縁部が従来の技術の構成と比較して平坦化されていることが分かる。この場合、ガラスとカラーフィルタの境界面で、積層されたカラーフィルタの接合面の一部は必然的に平面形状で基板１１の主面と接するように配置される。
【００３９】
上記説明では、第１カラーフィルタ層３１を透過型カラーフィルタ層とし、第２カラーフィルタ層３２を反射型カラーフィルタ層としたが、光学的性質が異なれば、カラーフィルタの種類の選択は上記に限るものではない。またカラーフィルタ層の積層体は２種類のカラーフィルタ層の積層体に限るものではなく、光学的性質の異なるカラーフィルタ層であれば複数積層させても良い。積層されたカラーフィルタ層の総合的な光学特性は各カラーフィルタ層の透過率、反射率、吸収率および膜厚などにより制御される。
【００４０】
上記第１、第２実施例では、反射型カラーフィルタ層からなる反射部と透過型カラーフィルタ層からなる透過部とを備えた液晶パネルの場合、反射型カラーフィルタ層と反射型カラーフィルタ層とを重ねた構造となっている透過部を反射型カラーフィルタ層を形成すると同時に形成することが可能となる。
【００４１】
また、上記第２実施例では、異種材料層の重ね構造をとることにより、同材料同士の膜厚調整だけでは調整不可能な色度調整を行うことが可能となる。例えば、Ｒ（赤）では異種材料層を重ねることにより、同一x値領域において、y値を低減することが可能となる。Ｇ（緑）では、異種材料層を重ねることにより、同一y値領域において、x値を低減することが可能となる。Ｒ（赤）、Ｇ（緑）双方ともこの色度変化方向は、色純度を向上する効果が得られる。
【００４２】
参考として、図７（１）、（２）にＲ（赤）のカラーレジストの分光スペクトルを示す。いずれの図面も、縦軸は光強度を示し、横軸は波長を示す。（１）図は、Ｒ（赤）の材料ａの分光スペクトルと、Ｒ（赤）の材料ｂの分光スペクトルと、上記材料ａと材料ｂとを重ね合わせた場合の分光スペクトルを示す。また（２）図は、Ｇ（緑）の材料ａの分光スペクトルと、Ｇ（緑）の材料ｂの分光スペクトルと、上記材料ａと材料ｂとを重ね合わせた場合の分光スペクトルを示す。
【００４３】
さらに、図８（１）、（２）にカラーレジストの色度・膜厚依存性を示す。いずれの図面も、縦軸は色度ｙを示し、横軸は色度ｘを示す。（１）図は、Ｒ（赤）の材料ａのカラーレジストのみの場合と、Ｒ（赤）の材料ａのカラーレジストと材料ｂのカラーレジストとを重ね合わせた場合であり、（２）図は、Ｇ（緑）の材料ａのカラーレジストのみの場合と、Ｇ（緑）の材料ａのカラーレジストと材料ｂのカラーレジストとを重ね合わせた場合である。
【実施例３】
【００４４】
次に、本発明のカラーフィルタおよびカラーフィルタの製造方法に係る第３実施例を、図９（１）〜（３）の概略構成断面図によって説明する。ここで説明されるカラーフィルタの第１カラーフィルタ層２１と第２カラーフィルタ層２２と第３カラーフィルタ層２３は、色度調整された光学的性質の異なるものからなる。
【００４５】
図９（１）に示すように、カラーフィルタ５０−１は、基板１１の主面に、色度調整された第１カラーフィルタ層５１と第２カラーフィルタ層５２と第３カラーフィルタ層５３とを重ね合わせたものであり、例えば、上記第１カラーフィルタ層５１は、例えば反射型Ｒ（赤）のカラーフィルタ層からなり、上記第２カラーフィルタ層５２は、例えば透過型Ｒ（赤）のカラーフィルタ層からなり、上記第３カラーフィルタ層５３は、例えば反射型Ｂ（青）のカラーフィルタ層からなる。すなわち、反射型カラーフィルタは上記第１カラーフィルタ層５１で構成され、透過型カラーフィルタは上記第１カラーフィルタ層５１乃至第３カラーフィルタ層５３の３層で構成されている。したがって、第１カラーフィルタ層５１は、第２、第３カラーフィルタ層５２、５３より大きな面積を持つものからなる。
【００４６】
図９（２）に示すように、カラーフィルタ５０−２は、基板１１の主面に、色度調整された第２カラーフィルタ層５２と第３カラーフィルタ層５３と第１カラーフィルタ層５１とを重ね合わせたものであり、例えば、上記第２カラーフィルタ層５２は、例えば透過型Ｒ（赤）のカラーフィルタ層からなり、上記第３カラーフィルタ層５３は、例えば反射型Ｂ（青）のカラーフィルタ層からなり、上記第１カラーフィルタ層５１は、例えば反射型Ｒ（赤）のカラーフィルタ層からなる。すなわち、反射型カラーフィルタは上記第１カラーフィルタ層５１で構成され、透過型カラーフィルタは上記第１カラーフィルタ層５１乃至第３カラーフィルタ層５３の３層で構成されている。したがって、第１カラーフィルタ層５１は、第２、第３カラーフィルタ層５２、５３より大きな面積を持つものからなる。
【００４７】
図９（３）に示すように、カラーフィルタ５０−３は、基板１１の主面に、色度調整された第２カラーフィルタ層５２と第３カラーフィルタ層５３と第１カラーフィルタ層５１とを重ね合わせたものであり、例えば、上記第２カラーフィルタ層５２は、例えば透過型Ｒ（赤）のカラーフィルタ層からなり、上記第１カラーフィルタ層５１は、例えば反射型Ｒ（赤）のカラーフィルタ層からなり、上記第３カラーフィルタ層５３は、例えば反射型Ｂ（青）のカラーフィルタ層からなる。すなわち、反射型カラーフィルタは上記第１カラーフィルタ層５１で構成され、透過型カラーフィルタは上記第１カラーフィルタ層５１乃至第３カラーフィルタ層５３の３層で構成されている。したがって、第１カラーフィルタ層５１は、第２、第３カラーフィルタ層５２、５３より大きな面積を持つものからなる。
【００４８】
上記第３実施例では、基本的には、第２実施例で説明した色度調整と同様な効果が得られる。光学的に異なる異種材料層の多層重ね構造をとることにより、３層構造以上の広い範囲にわたって色度調整をすることが可能となる。例えば、反射部のＲ（赤）、透過部のＲ（赤）に加え、反射部のＢ（青）を加えることにより、青色度側（x値、y値を低減する方向）に色度調整することが可能となり、選択できる色範囲が広がる。なお、特に積層順によって特徴はでない。
【実施例４】
【００４９】
本発明の表示装置は、本発明のカラーフィルタを備えたものであり、例えば、色度調整された光学的性質の異なるカラーフィルタ層を複数層に重ね合わせてなるカラーフィルタを備えたものであり、例えば、このカラーフィルタは、第１カラーフィルタ層２１と、第１カラーフィルタ層２１より大きな面積を持つもので第１カラーフィルタ層２１を覆う状態に配置した第２カラーフィルタ層２２とからなるものである。もしくは、例えば、色度調整された２層のカラーフィルタ層を重ね合わせてなるカラーフィルタを備えたものであり、例えば、このカラーフィルタは、第１カラーフィルタ層３１と、第１カラーフィルタ層３１より大きな面積を持つもので第１カラーフィルタ層３１を覆う状態に配置した第２カラーフィルタ層３２とからなるものである。
【産業上の利用可能性】
【００５０】
本発明のカラーフィルター、カラーフィルターの製造方法、表示装置は、カラーフィルタ以外の自発発光型薄膜の積層体などにも適用できる。
【図面の簡単な説明】
【００５１】
【図１】本発明のカラーフィルタおよびカラーフィルタの製造方法に係る第１実施例を示す概略構成断面図である。
【図２】本発明のカラーフィルタおよびカラーフィルタの製造方法に係る第１実施例を示す図面である。
【図３】従来の製造技術によるカラーフィルタの構成を示す概略構成断面図である。
【図４】表１を基にしたカラーフィルタ（Ｒ，Ｇ，Ｂ）色度三角形を示す図面である。
【図５】本発明のカラーフィルタおよびカラーフィルタの製造方法に係る第２実施例を示す概略構成断面図である。
【図６】本発明のカラーフィルタおよびカラーフィルタの製造方法に係る第２実施例を示す図面である。
【図７】Ｒ（赤）およびＧ（緑）のカラーレジストの分光スペクトルの一例を示す図である。
【図８】Ｒ（赤）およびＧ（緑）のカラーレジストの色度・膜厚依存性を示す図面である。
【図９】本発明のカラーフィルタおよびカラーフィルタの製造方法に係る第２実施例を示す概略構成断面図である。
【図１０】従来の併用型（例えば透過型と反射型）のカラーフィルタを製作する場合を説明する図面である。
【符号の説明】
【００５２】
２０…カラーフィルタ、２１…第１カラーフィルタ層、２２…第２カラーフィルタ層
【図１】
2005189402.tif 000004
【図２】
2005189402.tif 000005
【図３】
2005189402.tif 000006
【図４】
2005189402.tif 000007
【図５】
2005189402.tif 000008
【図６】
2005189402.tif 000009
【図７】
2005189402.tif 000010
【図８】
2005189402.tif 000011
【図９】
2005189402.tif 000012
【図１０】
2005189402.tif 000013